(57)【要約】【課題】構造が簡単であり、かつ浴槽水および給水によりろ過装置の逆洗を行うことができる風呂システムを提供する。【解決手段】風呂システムは、浴槽１０と、給湯器２０と、戻り配管３１と、往き配管３２と、ろ過装置４０と、ポンプＰと、給水経路５０とを備えている。給湯器２０は、浴槽１０に湯水を供給可能である。戻り配管３１は、浴槽１０と給湯器２０とを接続し、かつ給湯器２０から浴槽１０に湯水を循環可能である。往き配管３１は、浴槽１０と給湯器２０とを接続し、かつ浴槽１０から給湯器２０に湯水を循環可能である。ろ過装置４０は、戻り配管３１および往き配管３２の双方に接続されている。ポンプＰはろ過装置４０と戻り配管３１との接続部と浴槽１０との間の戻り配管３１に接続されている。給水経路５０はポンプＰと浴槽１０との間の戻り配管３１に接続されている。【選択図】図１
2016131663.tif 000002
【特許請求の範囲】
【請求項１】
浴槽と、
前記浴槽に湯水を供給可能な給湯器と、
前記浴槽と前記給湯器とを接続し、かつ前記浴槽から前記給湯器に湯水を循環可能な戻り配管と、
前記浴槽と前記給湯器とを接続し、かつ前記給湯器から前記浴槽に湯水を循環可能な往き配管と、
前記戻り配管および前記往き配管の双方に接続されたろ過装置と、
前記ろ過装置と前記戻り配管との接続部と前記浴槽との間の前記戻り配管に接続されたポンプと、
前記ポンプと前記浴槽との間の前記戻り配管に接続された給水経路とを備えた、風呂システム。
【請求項２】
前記ろ過装置の一方側が前記戻り配管に接続され、前記ろ過装置の他方側が前記往き配管に接続されており、
前記ろ過装置の前記一方側から前記他方側に湯水を流す状態と、前記ろ過装置の前記他方側から前記一方側に湯水を流す状態とを切り替え可能な弁装置をさらに備えた、請求項１に記載の風呂システム。
【請求項３】
前記給水経路は、ボールタップと、前記ボールタップにより開閉可能な給水口を有する容器とを含むシスターンタンクとを含む、請求項１または２に記載の風呂システム。
【請求項４】
前記給水経路と前記戻り配管との接続部と前記浴槽との間の前記戻り配管に接続され、かつ前記浴槽から前記戻り配管に循環する湯水に混入した毛髪を捕えるためのヘアーキャッチャーをさらに備えた、請求項１〜３のいずれか１項に記載の風呂システム。
【請求項５】
前記ろ過装置と前記戻り配管とを接続するバイパス配管と、
前記バイパス配管に接続され、かつ前記浴槽の湯水を殺菌するための薬剤を前記バイパス配管に供給可能な薬剤供給装置とをさらに備えた、請求項１〜４のいずれか１項に記載の風呂システム。
【請求項６】
前記往き配管に接続され、かつ前記浴槽の湯水を殺菌するための薬剤を前記往き配管に供給可能な薬剤供給装置をさらに備えた、請求項１〜４のいずれか１項に記載の風呂システム。
【請求項７】
前記ろ過装置の前記一方側に接続され、前記ろ過装置の前記他方側から前記一方側に流れる湯水を前記ろ過装置から排出可能な逆洗排出配管をさらに備えた、請求項２〜６のいずれか１項に記載の風呂システム。
【発明の詳細な説明】
【技術分野】
【０００１】
本発明は、風呂システムに関するものであり、特に、浴槽およびろ過装置を備えた風呂システムに関するものである。
【背景技術】
【０００２】
従来、一般的な公衆浴場および温泉などの業務用の風呂システムにおいては、浴槽とろ過装置とがろ過用の循環配管で接続されている。ろ過用循環ポンプによりろ過用の循環配管に浴槽水が循環され、浴槽水がろ過装置でろ過される。これにより、浴槽水の汚れが除去される。また、このろ過装置には浴槽水とともに流れ込んだ毛髪、埃、垢などの汚濁物質が付着する。このため、浴槽水をろ過する方向とは逆方向に湯水をろ過装置内に流すことで、ろ過装置が洗浄（逆洗）される。逆洗によりろ過装置から汚濁物質が除去されることで、ろ過装置が再生される。このような業務用の風呂システムについては、たとえば、特開２００３−１１７５６１号公報（特許文献１）に記載されている。
【０００３】
上記の一般的な業務用の風呂システムでは、浴槽への湯張りについては、湯張り用の給湯器から湯水が浴槽に供給されることで浴槽に湯水が溜められる。また、浴槽水の追焚きについては、湯張り用の給湯器とは別の追焚き用の給湯器が用いられている。追焚き用の給湯器には追焚き用の循環配管が接続されている。追焚き循環用ポンプにより追焚き用の循環配管に追焚き用の給湯器から供給された湯水が循環される。追焚き用の循環配管を流れる湯水とろ過用の循環配管を流れる浴槽水との間で熱交換可能な熱交換器がろ過用の循環配管および追焚き用の循環配管に接続されている。熱交換器において追焚き用の循環配管を流れる湯水とろ過用の循環配管を流れる浴槽水との間で熱交換が行われることで浴槽水が追焚きされる。
【先行技術文献】
【特許文献】
【０００４】
【特許文献１】特開２００３−１１７５６１号公報
【発明の概要】
【発明が解決しようとする課題】
【０００５】
上記の一般的な業務用の風呂システムにおいては、ろ過用の循環用ポンプとは別に追焚き用の循環用ポンプも用いられていた。したがって、風呂システムの構造が複雑であるという問題がある。また、浴槽水によりろ過装置の逆洗が行われる。したがって、浴槽に浴槽水が溜められていないとろ過装置の逆洗を行うことができないという問題がある。
【０００６】
本発明は、上記の課題を鑑みてなされたものであり、その目的は、構造が簡単であり、かつ浴槽水および給水によりろ過装置の逆洗を行うことができる風呂システムを提供することである。
【課題を解決するための手段】
【０００７】
本発明の風呂システムは、浴槽と、給湯器と、戻り配管と、往き配管と、ろ過装置と、ポンプと、給水経路とを備えている。給湯器は、浴槽に湯水を供給可能である。戻り配管は、浴槽と給湯器とを接続し、かつ浴槽から給湯器に湯水を循環可能である。往き配管は、浴槽と給湯器とを接続し、かつ給湯器から浴槽に湯水を循環可能である。ろ過装置は、戻り配管および往き配管の双方に接続されている。ポンプはろ過装置と戻り配管との接続部と浴槽との間の戻り配管に接続されている。給水経路はポンプと浴槽との間の戻り配管に接続されている。
【０００８】
本発明の風呂システムによれば、浴槽と給湯器とが戻り配管および往き配管に接続されており、ポンプが戻り配管に接続されているため、１つのポンプにより浴槽水をろ過および追焚きすることができる。このため、風呂システムの構造を簡単にすることができる。また、浴槽と給湯器とを接続する戻り配管および往き配管の双方にろ過装置が接続されているため、戻り配管からろ過装置に湯水を供給することにより湯水をろ過することができるとともに往き配管からろ過装置に湯水を供給することによりろ過装置の逆先を行うことができる。さらに、給水経路が戻り配管に接続されているため、給水経路からの給水によりろ過装置の逆洗を行うことができる。
【０００９】
上記の風呂システムにおいては、ろ過装置の一方側が戻り配管に接続され、ろ過装置の他方側が往き配管に接続されている。上記の風呂システムは、ろ過装置の一方側から他方側に湯水を流す状態と、ろ過装置の他方側から一方側に湯水を流す状態とを切り替え可能な弁装置をさらに備えている。このため、弁装置によりろ過装置のろ過と逆洗とを切り替えることができる。
【００１０】
上記の風呂システムにおいては、給水経路は、ボールタップと、ボールタップにより開閉可能な給水口を有する容器とを含むシスターンタンクとを含んでいる。このため、ボールタップにより容器の給水口が開放されることでシスターンタンクから給水することができる。また、ボールタップにより容器の給水口が閉止されることで戻り配管から浴槽水がシスターンタンクに流入することを防止できる。
【００１１】
上記の風呂システムは、給水経路と戻り配管との接続部と浴槽との間の戻り配管に接続され、かつ浴槽から戻り配管に循環する湯水に混入した毛髪を捕えるためのヘアーキャッチャーをさらに備えている。このため、給水経路からの給水によりヘアーキャッチャーの逆洗を行うことができる。
【００１２】
上記の風呂システムは、ろ過装置と戻り配管とを接続するバイパス配管と、バイパス配管に接続され、かつ浴槽の湯水を殺菌するための薬剤をバイパス配管に供給可能な薬剤供給装置とをさらに備えている。このため、薬剤はバイパス配管から浴槽を経由して給湯器に流れ込むため、薬剤の濃度の高い浴槽水が給湯器に流れ込むことを防止できる。したがって、薬剤の濃度の高い浴槽水に給湯器の配管が接触することでこの配管が腐食することを防止できる。
【００１３】
上記の風呂システムは、往き配管に接続され、かつ浴槽の湯水を殺菌するための薬剤を往き配管に供給可能な薬剤供給装置をさらに備えている。このため、薬剤は往き配管から浴槽を経由して給湯器に流れ込むため、薬剤の濃度の高い浴槽水が給湯器に流れ込むことを防止できる。したがって、薬剤の濃度の高い浴槽水に給湯器の配管が接触することでこの配管が腐食することを防止できる。
【００１４】
上記の風呂システムは、ろ過装置の一方側に接続され、ろ過装置の他方側から一方側に流れる湯水をろ過装置から排出可能な逆洗排出配管をさらに備えている。このため、逆洗排出配管を通して湯水とともに汚濁物質をろ過装置から排出することができる。
【発明の効果】
【００１５】
以上説明したように、本発明によれば、構造が簡単であり、かつ浴槽水および給水によりろ過装置の逆洗を行うことができる風呂システムを提供することができる。
【図面の簡単な説明】
【００１６】
【図１】本発明の一実施の形態における風呂システムの構成を示す概略図である。
【図２】図１に示す風呂システムの制御部の構成を説明するための機能ブロック図である。
【図３】図１に示す風呂システムのろ過運転時の様子を示す概略図である。
【図４】図１に示す風呂システムの追焚き運転時の様子を示す概略図である。
【図５】図１に示す風呂システムのろ過装置逆洗運転時の様子を示す概略図である。
【図６】図１に示す風呂システムのヘアーキャッチャー逆洗運転時の様子を示す概略図である。
【図７】図１に示す風呂システムの浴槽給湯運転時の様子を示す概略図である。
【図８】本発明の一実施の形態の変形例における風呂システムの構成に示す概略図である。
【図９】比較例における風呂システムの構成に示す概略図である。
【発明を実施するための形態】
【００１７】
以下、本発明の実施の形態について図に基づいて説明する。
まず、本発明の一実施の形態の風呂システムの構成について説明する。
【００１８】
図１を参照して、本実施の形態の風呂システムは、浴槽１０と、給湯器２０と、戻り配管３１と、往き配管３２と、ろ過装置４０と、給水経路５０と、弁装置６０と、制御部７０と、薬剤供給装置８０と、ポンプＰと、ヘアーキャッチャーＨＣと、逆洗排出配管ＥＰと、水位検知装置Ｄ１と、温度検知装置Ｄ２とを主に備えている。弁装置６０は弁６０ａ〜６０ｆを有している。
【００１９】
浴槽１０は、湯水を貯留可能に構成されている。浴槽１０には浴槽１０に貯留された浴槽水の水位を検知可能な水位検知装置Ｄ１が取り付けられている。水位検知装置Ｄ１はたとえば水位を検知可能な電極を備えた水位センサである。また、浴槽１０には浴槽水の温度を検知可能な温度検知装置Ｄ２が取り付けられている。温度検知装置Ｄ２はたとえば浴槽水の水温を検知可能なサーミスタである。
【００２０】
給湯器２０は、浴槽１０に湯水を供給可能に構成されている。給湯器２０は、筐体２１と、燃焼装置２２と、送風装置２３と、熱交換器２４と、入水配管２５と、出湯配管２６とを主に有している。
【００２１】
筐体２１は、燃焼装置２２、送風装置２３、熱交換器２４、入水配管２５および出湯配管２６を収容している。燃焼装置２２は、熱交換器２４との間で熱交換を行うための燃焼ガスを供給可能に構成されている。燃焼装置２２は、たとえばバーナである。送風装置２３は燃焼装置２２に燃焼用の空気を供給するためのものである。送風装置２３はたとえばファンである。
【００２２】
熱交換器２４は燃焼装置２２から供給された燃焼ガスの熱を回収するためのものである。熱交換器２４において熱交換器２４内を流れる湯水（被加熱流体）と燃焼ガスとの間で熱交換が行われる。熱交換器２４は湯水を流通可能な伝熱管を有している。伝熱管は銅管で形成されている。
【００２３】
熱交換器２４の一方端には入水配管２５が接続されている。入水配管２５は、浴槽１０から流れてきた浴槽水を熱交換器２４に供給可能に構成されている。入水配管２５は熱交換器２４に接続された一端と反対側の他端に入水口２５ａを有している。熱交換器２４の他方端には出湯配管２６が接続されている。出湯配管２６は、熱交換器２４で熱交換された湯水を浴槽１０に供給可能に構成されている。出湯配管２６は熱交換器２４に接続された一端と反対側の他端に出湯口２６ａを有している。給湯器２０は入水口２５ａで戻り配管３１に接続されており、給湯器２０は出湯口２６ａで往き配管３２に接続されている。
【００２４】
戻り配管３１は浴槽１０と給湯器２０とを接続している。戻り配管３１は浴槽１０から給湯器２０に湯水を循環可能に構成されている。戻り配管３１は、配管３１ａ〜３１ｃを有している。配管３１ａの一端は浴槽１０に接続されおり、配管３１ａの他端はヘアーキャッチャーＨＣに接続されている。配管３１ａには弁６０ａが取り付けられている。弁６０ａは、開閉制御されることで浴槽１０からヘアーキャッチャーＨＣへの浴槽水の供給および停止を実施可能に構成されている。
【００２５】
配管３１ｂの一端はヘアーキャッチャーＨＣに接続されており、配管３１ｂの他端はポンプＰに接続されている。配管３１ｃの一端はポンプＰに接続されており、配管３１ｃの他端は入水配管２５の入水口２５ａに接続されている。配管３１ｃには弁６０ｂが取り付けられている。弁６０ｂは、開閉制御されることでポンプＰから給湯器２０への湯水の供給および停止を実施可能に構成されている。
【００２６】
往き配管３２は浴槽１０と給湯器２０とを接続している。往き配管３２は給湯器２０から浴槽１０に湯水を循環可能に構成されている。往き配管３２には弁６０ｃが取り付けられている。弁６０ｃは、開閉制御されることで給湯器２０から浴槽１０への湯水の供給および停止を実施可能に構成されている。
【００２７】
ろ過装置４０は、戻り配管３１および往き配管３２の双方に接続されている。ろ過装置４０は、バイパス配管ＢＰにより戻り配管３１に接続されている。つまり、バイパス配管ＢＰはろ過装置４０と戻り配管３１とを接続する。バイパス配管ＢＰには弁６０ｄが取り付けられている。弁６０ｄは、開閉制御されることで戻り配管３１からろ過装置４０への湯水の供給および停止を実施可能に構成されている。ろ過装置４０は配管ＡＰにより往き配管３２に接続されている。つまり、配管ＡＰはろ過装置４０と往き配管３２とを接続する。ろ過装置４０の一方側が戻り配管３１に接続され、ろ過装置４０の他方側が往き配管３２に接続されている。
【００２８】
ろ過装置４０は、戻り配管３１からバイパス配管ＢＰを介して供給された浴槽水をろ過可能に構成されている。ろ過装置４０は、ろ材４０ａを収容している。ろ材４０ａは、たとえばメッシュ、ガラスビーズなどである。ろ過装置４０は、浴槽水がろ過装置４０の一方側から他方側にろ材に流れることで、浴槽水とともに流れ込んだ髪、埃、垢などの汚濁物質がろ材４０ａに付着して浴槽水がろ過されるように構成されている。
【００２９】
また、ろ過装置４０は、往き配管３２から配管ＡＰを介して供給された湯水により逆洗可能に構成されている。ろ過装置４０は給湯器２０から供給された湯水がろ過装置４０の他方側から一方側に流れることで、ろ材４０ａに付着した髪、埃、垢などの汚濁物質がろ材４０ａから除去されるように構成されている。
【００３０】
逆洗排出配管ＥＰはろ過装置４０の一方側に接続されている。逆洗排出配管ＥＰは、ろ過装置４０の他方側から一方側に流れる湯水をろ過装置４０から排出可能に構成されている。逆洗排出配管ＥＰは、ろ過装置４０から排出された湯水とともに汚濁物質を排出装置ＥＤに排出可能に構成されている。
【００３１】
逆洗排出配管ＥＰには弁６０ｅが取り付けられている。弁６０ｅは、開閉制御されることで、ろ過装置４０から排出装置ＥＤへの湯水の供給および停止を実施可能に構成されている。
【００３２】
排出装置ＥＤは湯水および汚濁物質を下水などに排出可能に構成されている。このため、排出装置ＥＤに排出された湯水および汚濁物質は、排出装置ＥＤを経由して下水などに排出される。
【００３３】
ポンプＰは、ろ過装置４０と戻り配管３１との接続部Ｃ１と浴槽１０との間の戻り配管３１に接続されている。ポンプＰは戻り配管３１および往き配管３２に湯水を循環可能に構成されている。ポンプＰが運転されると、浴槽１０の浴槽水は、戻り配管３１から給湯器２０を経由して往き配管３２から浴槽１０に循環する。
【００３４】
給水経路５０は、浴槽１０に給水するためのものである。給水経路５０は、ポンプＰと浴槽１０との間の戻り配管３１に接続されている。本実施の形態では、給水経路５０は、ポンプＰとヘアーキャッチャーＨＣとの間の配管３１ｂに接続されている。
【００３５】
給水経路５０は、配管５１ａ、５１ｂと、シスターンタンク５２とを主に有している。配管５１ａの一端は図示しない水道などの給水栓に接続されており、配管５１ａの他端はシスターンタンク５２に接続されている。したがって、給水経路５０は上水を供給可能に構成されている。
【００３６】
配管５１ｂの一端はシスターンタンク５２に接続されており、配管５１ｂの他端は配管３１ｂに接続されている。配管５１ｂには弁６０ｆが取り付けられている。弁６０ｆは開閉制御されることでシスターンタンク５２から配管３１ｂへの給水の供給および停止を実施可能に構成されている。
【００３７】
シスターンタンク５２は、ボールタップ５２ａと、ボールタップ５２ａにより開閉可能な給水口ＩＰを有する容器５２ｂとを有している。ボールタップ５２ａは、容器５２ｂ内に配置されている。ボールタップ５２ａは容器５２ｂに給水された水に浮くように構成されている。シスターンタンク５２は、ボールタップ５２ａが下降すれば給水口ＩＰから容器５２内に給水され、ボールタップ５２ａが上昇すれば給水口ＩＰから容器５２内への給水が止まるように構成されている。
【００３８】
シスターンタンク５２は戻り配管３１の高さ位置よりも上方に配置されている。このため、シスターンタンク５２は容器５２ｂに貯められた水の水頭圧により戻り配管３１に給水することができる。また、ポンプＰに呼び水を供給する作業を行う必要がない。
【００３９】
ヘアーキャッチャーＨＣは浴槽１０から戻り配管３１に循環する湯水に混入した毛髪を捕えるためのものである。ヘアーキャッチャーＨＣは、たとえばメッシュである。ヘアーキャッチャーＨＣは、浴槽１０から給湯器２０に向かってヘアーキャッチャーＨＣに浴槽水が流れることで、ヘアーキャッチャーＨＣの浴槽１０側の面に浴槽水とともに流れ込んだ毛髪を捕えるように構成されている。ヘアーキャッチャーＨＣは、給水経路５０と戻り配管３１との接続部Ｃ２と浴槽１０との間の戻り配管３１に接続されている。
【００４０】
また、ヘアーキャッチャーＨＣは戻り配管３１および配管ＣＰを介して逆洗排出配管ＥＰに接続されている。配管ＣＰの一端は弁６０ａとヘアーキャッチャーＨＣとの間の戻り配管３１の配管３１ａに接続されており、配管ＣＰの他端は逆洗排出配管ＥＰに接続されている。配管ＣＰには弁６０ｇが取り付けられている。弁６０ｇは開閉制御されることでヘアーキャッチャーＨＣから逆洗排出配管ＥＰへの給水の供給および停止を実施可能に構成されている。
【００４１】
弁装置６０の弁６０ａ〜６０ｆの各々にはモータＭが取り付けられている。弁６０ａ〜６０ｆの各々はモータＭにより開放または閉止可能に構成されている。なお、弁装置６０の弁はモータ制御に限定されない。たとえば、弁装置６０の弁は電磁弁であってもよい。弁装置６０は、ろ過装置４０の一方側から他方側に湯水を流す状態と、ろ過装置４０の他方側から一方側に湯水を流す状態とを切り替え可能に構成されている。
【００４２】
なお、弁６０ａおよび弁６０ｇは１つの三方弁に置換可能である。また、弁６０ｂおよび弁６０ｄは１つの三方弁に置換可能である。また、弁６０ｆはシスターンタンク５２から戻り配管３１にのみ水の流れを許容する逆止弁であってもよい。
【００４３】
制御部７０は弁装置６０の弁６０ａ〜６０ｆの各々に電気的に接続されている。制御部７０は、モータＭを駆動させることで弁６０ａ〜６０ｆの各々を開放または閉止するよう制御可能に構成されている。また、制御部７０は、水位検知装置Ｄ１および温度検知装置Ｄ２に電気的に接続されている。
【００４４】
薬剤供給装置８０は浴槽１０の湯水を殺菌するための薬剤８０ａを収容している。薬剤８０ａはたとえば塩素系薬剤である。この塩素系薬剤として、たとえば次亜塩素酸ナトリウムを用いることができる。薬剤供給装置８０は、バイパス配管ＢＰに接続されている。薬剤供給装置８０は浴槽１０の湯水を殺菌するための薬剤８０ａをバイパス配管ＢＰに供給可能に構成されている。
【００４５】
続いて、図２を参照して、制御部７０の構成についてさらに詳しく説明する。制御部７０は、制御手段７０ａと、弁開度判定手段７０ｂと、水位判定手段７０ｃと、温度判定手段７０ｄとを主に有している。
【００４６】
制御手段７０ａは、弁開度判定手段７０ｂ、水位判定手段７０ｃおよび温度判定手段７０ｄの各々の判定結果に基づいて、ポンプＰおよび弁装置６０の動作を制御するためのものである。具体的には、制御手段７０ａによる弁装置６０の動作制御は、弁６０ａ〜６０ｆの各々に取り付けられたモータを制御することにより行われる。
【００４７】
弁開度判定手段７０ｂは、弁６０ａ〜６０ｆのそれぞれに取り付けられたモータからの信号に基づいて各弁の開度を判定するためのものである。水位判定手段７０ｃは水位検知装置Ｄ１からの信号に基づいて浴槽１０内の湯水の水位を判定するためのものである。温度判定手段７０ｄは温度検知装置Ｄ２からの信号に基づいて浴槽１０内の湯水の水温を判定するためのものである。
【００４８】
次に、本実施の形態の風呂システムの運転動作について説明する。本実施の形態の風呂システムの運転動作には、ろ過運転、追焚き運転、ろ過装置逆洗運転、ヘアーキャッチャー逆洗運転、浴槽給湯運転の各運転動作がある。以下、これらの運転動作について説明する。図３〜図７において弁６０ａ〜６０ｇのうち白抜きの弁は開放されており、塗りつぶされた弁は閉止されている。
【００４９】
図３を参照して、風呂システムのろ過運転時には、制御部７０により弁６０ａ、６０ｄおよび６０ｃが開かれ、弁６０ｂ、６０ｅ、６０ｆおよび６０ｇが閉じられる。この状態で、制御部７０によりポンプＰが駆動される。ポンプＰが駆動されることにより、図中矢印で示すように、浴槽１０内の湯水は、戻り配管３１の配管３１、ヘアーキャッチャーＨＣ、配管３１ｂ、配管３１ｃおよびバイパス配管ＢＰを通じてろ過装置４０へ供給される。この湯水は、ろ過装置４０の一方側から他方側にろ材４０ａを流れる。これにより、ろ過装置４０に当該湯水とともに流れ込んだ汚濁物質がろ材４０ａに付着して当該湯水がろ過される。ろ過された湯水は、配管ＡＰおよび往き配管３２を通じて浴槽１０に供給される。
【００５０】
続いて、図４を参照して、風呂システムの追焚き運転時には、制御部７０により弁６０ａ、６０ｂ、６０ｃ、６０ｄおよび６０ｆが開かれ、弁６０ｅおよび６０ｇが閉じられる。この状態で、制御部７０によりポンプＰが駆動される。ポンプＰが駆動されることにより、図中矢印で示すように、浴槽１０内の湯水は、戻り配管３１の配管３１、ヘアーキャッチャーＨＣ、配管３１ｂおよび配管３１ｃを通じて給湯器２０へ供給される。この湯水は給湯器２０の熱交換器２４で温められる。温められた湯水は往き配管３２を通じて浴槽１０に供給される。これにより、浴槽１０の湯水が追焚きされる。
【００５１】
また、図中矢印で示すように、給水経路５０からの給水も配管３１ｂおよび配管３１ｃを通じて給湯器２０へ供給される。この給水も給湯器２０の熱交換器２４で温められた後に往き配管３２を通じて浴槽１０に供給される。これにより、浴槽１０の湯水が補充される。また、給水経路５０からの給水が給湯器２０に通水される。この給水には薬剤供給装置８０から浴槽１０の湯水を殺菌するための薬剤８０ａが供給されない。したがって、この給水が給湯器２０に通水されることで、給湯器２０の銅管で形成された伝熱管などの配管から薬剤８０ａを洗い流すことができる。このため、給湯器２０の銅管で形成された伝熱管などの配管の腐食を抑制できる。
【００５２】
なお、本実施の形態では、追焚き運転時にも上記ろ過運転時と同様に浴槽１０の湯水がろ過される。つまり、図中矢印で示すように、浴槽１０内の湯水は、戻り配管３１の配管３１、ヘアーキャッチャーＨＣ、配管３１ｂ、配管３１ｃおよびバイパス配管ＢＰを通じてろ過装置４０へ供給される。そして、ろ過装置４０で当該湯水はろ過された後に配管ＡＰおよび往き配管３２を通じて浴槽１０に供給される。このように、追焚き運転時にも浴槽１０の湯水をろ過することで汚濁物質をさらに除去することができる。
【００５３】
続いて、図５を参照して、風呂システムのろ過装置逆洗運転時には、制御部７０により弁６０ａ、６０ｂ、６０ｅおよび６０ｆが開かれ、弁６０ｃ、６０ｄおよび６０ｇが閉じられる。この状態で、制御部７０によりポンプＰが駆動される。ポンプＰが駆動されることにより、図中矢印で示すように、浴槽１０内の湯水は、戻り配管３１の配管３１、ヘアーキャッチャーＨＣ、配管３１ｂおよび配管３１ｃを通じて給湯器２０へ供給される。この湯水は給湯器２０の熱交換器２４で温められる。温められた湯水は往き配管３２および配管ＡＰを通じてろ過装置４０に供給される。この湯水は、ろ過装置４０の他方側から一方側にろ材４０ａを流れる。このようにろ過装置４０の逆洗が行われることで、ろ過装置４０のろ材４０ａに付着した汚濁物質が除去される。そして、この湯水は、ろ過装置４０から逆洗排出配管ＥＰを通じて排出装置ＥＤに排出される。これにより、ろ過装置４０のろ材４０ａに付着した汚濁物質が排出装置ＥＤに排出される。
【００５４】
また、図中矢印で示すように、給水経路５０からの給水も配管３１ｂおよび配管３１ｃを通じて給湯器２０へ供給される。この給水も給湯器２０の熱交換器２４で温められた後に往き配管３２および配管ＡＰを通じてろ過装置４０に供給される。この湯水もろ過装置４０の他方側から一方側にろ材４０ａを流れる。このように、給水経路５０からの給水によってもろ過装置４０の逆洗が行われる。そして、この湯水は、ろ過装置４０から逆洗排出配管ＥＰを通じて排出装置ＥＤに排出される。これにより、ろ過装置４０のろ材４０ａに付着した汚濁物質が排出装置ＥＤに排出される。
【００５５】
本実施の形態の風呂システムでは、給湯器２０で温められた温水によりろ過装置４０の逆洗が行われるため、ろ過装置４０のろ材４０ａに付着したレジオネラ属菌を死滅させることができる。具体的には、給湯器２０から往き配管３２に供給される湯水の温度をたとえば７５度に設定することで、ろ過装置４０を流れる湯水の温度を６０度以上にすることができる。この温度の湯水でろ過装置が逆洗されることでろ材４０ａに付着したレジオネラ属菌を死滅させることができる。
【００５６】
続いて、図６を参照して、風呂システムのヘアーキャッチャー逆洗運転時には、制御部７０により弁６０ｂ、６０ｆおよび６０ｇが開かれ、弁６０ａ、６０ｃ、６０ｄおよび６０ｅが閉じられる。この状態で、給水経路５０から給水されることで、図中矢印で示すように、給水経路５０からの給水はヘアーキャッチャーＨＣ、配管３１ａ、配管ＣＰおよび逆洗排出配管ＥＰを通じて排出装置ＥＤに排出される。これにより、ヘアーキャッチャーＨＣに付着した毛髪が除去される。このようにして、ヘアーキャッチャーＨＣの逆洗が行われる。
【００５７】
給水経路５０のシスターンタンク５２は戻り配管３１の高さ位置よりも上方に配置されているため、シスターンタンク５２の容器５２ｂに貯められた水の水頭圧によりヘアーキャッチャーＨＣの逆洗を行うことができる。
【００５８】
ヘアーキャッチャー逆洗運転は、浴槽水の水位が満水かつ浴槽水の温度が設定温度になっている場合に実施されてもよい。この場合にはヘアーキャッチャー逆洗運転の開始を制御することが容易である。
【００５９】
続いて、図７を参照して、風呂システムの浴槽給湯運転時には、制御部７０により弁６０ｂ、６０ｃ、６０ｄおよび６０ｆが開かれ、弁６０ａ、６０ｅおよび６０ｇが閉じられる。この状態で、制御部７０によりポンプＰが駆動される。ポンプＰが駆動されることにより、図中矢印で示すように、給水経路５０からの給水は、戻り配管３１の配管３１ｂおよび配管３１ｃを通じて給湯器２０へ供給される。この給水は給湯器２０の熱交換器２４で温められる。温められた給水は往き配管３２を通じて浴槽に供給される。これにより、浴槽１０に給湯が行われる。
【００６０】
また、本実施の形態では、浴槽給湯運転時に給水経路５０からの給水がろ過装置４０に供給される。つまり、図中矢印で示すように、給水経路５０からの給水は、戻り配管３１の配管３１ｂ、配管３１ｃおよびバイパス配管ＢＰを通じてろ過装置４０へ供給される。そして、ろ過装置４０から配管ＡＰおよび往き配管３２を通じて浴槽１０に供給される。これにより、戻り配管３１の配管３１ｂ、配管３１ｃ、バイパス配管ＢＰ、ろ過装置４０、配管ＡＰおよび往き配管３２が給水経路５０からの給水で洗浄される。
【００６１】
次に、図８を参照して、本実施の形態の変形例における風呂システムについて説明する。本実施の形態の変形例は特に説明しない限り上記の本実施の形態の風呂システムと同様の構成および運転動作を備えている。本実施の形態の変形例では、薬剤供給装置８０から薬剤が供給される場所が上記の本実施の形態の風呂システムと異なっている。つまり、上記では薬剤供給装置８０はバイパス配管ＢＰに接続されていたが、本実施の形態の変形例における風呂システムでは、薬剤供給装置８０は往き配管３２に接続されている。薬剤供給装置８０は、浴槽１０の湯水を殺菌するための薬剤８０ａを往き配管３２に供給可能に構成されている。
【００６２】
次に、本実施の形態の風呂システムの作用効果について比較例と対比して説明する。
図９を参照して、比較例の風呂システムは、浴槽１０と、湯張り用の給湯器２０ａと、追焚き用の給湯器２０ｂと、ろ過装置４０と、制御部７０と、補給水ユニット１０１と、液液熱交換器１０２と、水位検知装置Ｄ１と、ヘアーキャッチャーＨＣと、ろ過用循環ポンプＰ１と、追焚き用循環ポンプＰ２と、配管Ｒ１〜Ｒ６と、膨張タンクＴと、弁Ｖ１〜Ｖ６とを主に有している。比較例の風呂システムは、ろ過経路と、給湯経路と、追焚き経路とを備えている。
【００６３】
ろ過経路では、ろ過用循環ポンプＰ１により、浴槽１０から配管Ｒ１０、弁Ｖ１、ヘアーキャッチャーＨＣ、ろ過装置４０、液液熱交換器１０２および弁Ｖ３を通じて浴槽１０に浴槽水が循環される。これにより、浴槽水がろ過装置４０でろ過される。また、逆洗が行われると、浴槽水およびろ過装置４０の汚濁物質がろ過装置４０の弁（５方弁）Ｖ２を経由して排出される。
【００６４】
給湯経路では、配管Ｒ１から湯張り用の給湯器２０ａに給水される。また配管Ｒ２から補給水ユニット１０１に給水される。湯張り用の給湯器２０ａから配管Ｒ３を通じて補給水ユニット１０１に湯水が供給される。補給水ユニット１０１で配管Ｒ２からの給水と配管Ｒ３からの湯水とが混合される。この混合された湯水が配管Ｒ４から浴槽１０に供給される。このようにして、浴槽１０に湯水が供給される。
【００６５】
追焚き経路では、追焚き用循環ポンプＰ２により追焚き用の給湯器２０ｂから弁Ｖ４を通じて液液熱交換器１０２に高温の湯水が循環される。液液熱交換器１０２においてこの高温の湯水が浴槽水と熱交換することにより浴槽水が追焚きされる。なお、追焚き経路には、膨張タンク、弁（安全弁）Ｖ５、弁（減圧弁）Ｖ６などが接続されている。
【００６６】
比較例の風呂システムでは、湯張り用の給湯器２０ａおよび追焚き用の給湯器２０ｂの２つの給湯器が用いられている。そのため、ろ過用の循環用ポンプおよび追焚き用の循環用ポンプの２つの循環ポンプが用いられている。このため、風呂システムの構造が複雑である。また、大きなスペースが必要となる。さらに、コストが高くなる。加えて、現場での施工が困難である。
【００６７】
また、比較例の風呂システムでは、ろ過装置４０の逆洗を浴槽水でしか行うことができない。さらには、ヘアーキャッチャーＨＣの逆洗を行うことができない。
【００６８】
これに対して、本実施の形態の風呂システムによれば、浴槽１０と給湯器２０とが戻り配管３１および往き配管３２に接続されており、ポンプＰが戻り配管３１に接続されているため、１つのポンプＰにより浴槽水をろ過および追焚きすることができる。このため、風呂システムの構造を簡単にすることができる。したがって、風呂システムを小型化することができる。さらに風呂システムを低コスト化することができる。加えて、現場での施工が簡単である。
【００６９】
また、浴槽１０と給湯器２０とを接続する戻り配管３１および往き配管３２の双方にろ過装置４０が接続されているため、戻り配管３１からろ過装置４０に湯水を供給することにより湯水をろ過することができるとともに往き配管３２からろ過装置４０に湯水を供給することによりろ過装置４０の逆先を行うことができる。さらに、給水経路５０が戻り配管３１に接続されているため、給水経路５０からの給水によりろ過装置４０の逆洗を行うことができる。このため、浴槽１０に浴槽水が溜められていない状態でもろ過装置４０の逆洗を行うことができる。
【００７０】
本実施の形態の風呂システムにおいては、ろ過装置４０の一方側がバイパス配管ＢＰを介して戻り配管３１に接続され、ろ過装置４０の他方側が配管ＡＰを介して往き配管３２に接続されている。そして風呂システムは、ろ過装置４０の一方側から他方側に湯水を流す状態と、ろ過装置４０の他方側から一方側に湯水を流す状態とを切り替え可能な弁装置６０をさらに備えている。このため、弁装置６０によりろ過装置４０のろ過と逆洗とを切り替えることができる。
【００７１】
本実施の形態の風呂システムにおいては、給水経路５０は、シスターンタンク５２を含んでいる。シスターンタンク５２は、ボールタップ５２ａと、ボールタップ５２ａにより開閉可能な給水口ＩＰを有する容器５２ｂとを含んでいる。このため、ボールタップ５２ａにより容器５２ｂの給水口ＩＰが開放されることでシスターンタンク５２から給水することができる。また、給水経路５０の配管５１ａと浴槽１０との間のシスターンタンク５２により、給水経路５０の配管５１ａと浴槽１０との間が縁切りされ、断水時等に浴槽水が給水経路５０の配管５１ａに逆流することを防止できる。
【００７２】
本実施の形態の風呂システムは、ヘアーキャッチャーＨＣを備えている。ヘアーキャッチャーＨＣは給水経路５０と戻り配管３１との接続部Ｃ２と浴槽１０との間の戻り配管３１に接続されている。このため、給水経路５０からの給水によりヘアーキャッチャーＨＣの逆洗を行うことができる。
【００７３】
本実施の形態の風呂システムは、浴槽１０の湯水を殺菌するための薬剤８０ａをバイパス配管ＢＰに供給可能な薬剤供給装置８０を備えている。このため、薬剤８０ａはバイパス配管ＢＰから浴槽１０を経由して給湯器２０に流れ込むため、薬剤８０ａの濃度の高い浴槽水が給湯器２０に流れ込むことを防止できる。したがって、薬剤８０ａの濃度の高い浴槽水に給湯器２０の銅管で形成された伝熱管などの配管が接触することでこの配管が腐食することを防止できる。
【００７４】
図８に示すように、本実施の形態の変形例の風呂システムでは、薬剤供給装置８０が往き配管３２に接続されている。このため、薬剤８０ａは往き配管３２から浴槽１０を経由して給湯器２０に流れ込むため、薬剤８０ａの濃度の高い浴槽水が給湯器２０に流れ込むことを防止できる。したがって、薬剤８０ａの濃度の高い浴槽水に給湯器２０の銅管で形成された伝熱管などの配管が接触することでこの配管が腐食することを防止できる。
【００７５】
本実施の形態の風呂システムは、ろ過装置４０の一方側に接続され、ろ過装置４０の他方側から一方側に流れる湯水をろ過装置４０から排出可能な逆洗排出配管ＥＰを備えている。このため、逆洗排出配管ＥＰを通して湯水とともに汚濁物質をろ過装置４０から排出することができる。
【００７６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７７】
１０  浴槽、２０  給湯器、２１  筐体、２２  燃焼装置、２３  送風装置、２４  熱交換器、２５  入水配管、２５ａ  入水口、２６  出湯配管、２６ａ  出湯口、３１ａ，３１ｂ，３１ｃ，５１ａ，５１ｂ，ＡＰ，ＣＰ  配管、３１  戻り配管、３２  往き配管、４０  ろ過装置、４０ａ  ろ材、５０  給水経路、５２  シスターンタンク、５２ａ  ボールタップ、５２ｂ  容器、６０  弁装置、６０ａ，６０ｂ，６０ｃ，６０ｄ，６０ｅ，６０ｆ，６０ｇ  弁、７０  制御部、７０ａ  制御手段、７０ｂ  弁開度判定手段、７０ｃ  水位判定手段、７０ｄ  温度判定手段、８０  薬剤供給装置、８０ａ  薬剤、ＢＰ  バイパス配管、Ｃ１，Ｃ２  接続部、Ｄ１  水位検知装置、Ｄ２  温度検知装置、ＥＤ  排出装置、ＥＰ  逆洗排出配管、ＨＣ  ヘアーキャッチャー、ＩＰ  給水口、Ｍ  モータ、Ｐ  ポンプ。
【図１】
2016131663.tif 000003
【図２】
2016131663.tif 000004
【図３】
2016131663.tif 000005
【図４】
2016131663.tif 000006
【図５】
2016131663.tif 000007
【図６】
2016131663.tif 000008
【図７】
2016131663.tif 000009
【図８】
2016131663.tif 000010
【図９】
2016131663.tif 000011